(57)【要約】【課題】リンク先に応じた表示拡大率、およびリンク先に応じた表示形態の表示をする。【解決手段】表示装置（２０）に、リンク先情報が示すコンテンツを表示させるＰＣ（１０）であって、制御部（１２）を備え、制御部（１２）は、リンク先情報が示すコンテンツを、当該リンク先情報に関連付けられた表示拡大率、及び当該リンク先情報に関連付けられた、全画面表示及び子画面表示の何れかの表示態様にて表示させる。【選択図】図２
2019012139.tif 000002
【特許請求の範囲】
【請求項１】
高解像度ディスプレイに、リンク先情報が示すコンテンツを表示させる表示制御装置であって、制御部を備え、
上記制御部は、
リンク先情報が示すコンテンツを、
当該リンク先情報に関連付けられた表示拡大率、及び
当該リンク先情報に関連付けられた、全画面表示及び子画面表示の何れかの表示態様にて表示させる
ことを特徴とする表示制御装置。
【請求項２】
上記表示拡大率は、上記高解像度ディスプレイに表示された上記リンク先情報が示すコンテンツを官能的に評価することにより決定されたものである
ことを特徴とする請求項１に記載の表示制御装置。
【請求項３】
上記制御部は、
上記リンク先情報が示すコンテンツを示すボタンを表示させ、
上記ボタンが選択された場合、上記リンク先情報が示すコンテンツを、上記表示拡大率、及び上記表示態様にて表示させる
ことを特徴とする請求項１または２に記載の表示制御装置。
【請求項４】
上記制御部は、
当該表示制御装置が表示するホーム画面に上記ボタンを含ませる
ことを特徴とする請求項３に記載の表示制御装置。
【請求項５】
高解像度ディスプレイと、
請求項１〜４の何れか１項に記載の表示制御装置と
を備えていることを特徴とする表示装置。
【請求項６】
請求項５に記載の表示装置
を備えることを特徴とする机。
【請求項７】
請求項１に記載の表示制御装置としてコンピュータを機能させるための表示制御プログラムであって、上記制御部としてコンピュータを機能させるための表示制御プログラム。
【請求項８】
請求項７に記載の表示制御プログラムを記録したコンピュータ読み取り可能な記録媒体。
【発明の詳細な説明】
【技術分野】
【０００１】
本発明は表示制御装置、表示装置、机、表示制御プログラム、および記録媒体に関する。
【背景技術】
【０００２】
Ｗｅｂページを表示する際に、ブラウザを、表示するＷｅｂページに適した状態にする技術が特許文献１に開示されている。
【０００３】
一方で、近年、ＰＣの出力画像を、４Ｋディスプレイ等の高解像度のディスプレイに表示する技術が開発されている。
【先行技術文献】
【特許文献】
【０００４】
【特許文献１】特開２００９−１２２７７５号公報（２００９年６月４日公開）
【発明の概要】
【発明が解決しようとする課題】
【０００５】
高解像度のディスプレイにおいて、ブラウザのデフォルトの拡大縮小率でリンク先情報が示すコンテンツを表示すると、見栄え、閲覧性が最適とはいえない場合がある。特に、４０インチ以上の大画面のディスプレイにおいては、リンク先情報が示すコンテンツ全画面で表示しない方が、見栄え、閲覧性がよい場合がある。
【０００６】
本発明の一態様は、リンク先に応じた表示拡大率、およびリンク先に応じた表示形態の表示をすることを目的とする。
【課題を解決するための手段】
【０００７】
上記の課題を解決するために、本発明の一態様に係る表示制御装置は、高解像度ディスプレイに、リンク先情報が示すコンテンツを表示させる表示制御装置であって、制御部を備え、上記制御部は、リンク先情報が示すコンテンツを、当該リンク先情報に関連付けられた表示拡大率、及び当該リンク先情報に関連付けられた、全画面表示及び子画面表示の何れかの表示態様にて表示させる。
【発明の効果】
【０００８】
本発明の一態様によれば、リンク先に応じた表示拡大率、およびリンク先に応じた表示形態の表示をすることができる、という効果を奏する。
【図面の簡単な説明】
【０００９】
【図１】本発明の実施形態に係る表示装置を備えた机の外観図である。
【図２】本発明の実施形態に係る表示装置の機能ブロック図である。
【図３】ホームアプリにより高解像度ディスプレイに表示される画面遷移の例を示す。
【図４】本発明の実施形態に係る表示制御装置の記憶部に格納される情報例である。
【図５】高解像度ディスプレイに表示される画面例、および対応する情報例である。
【図６】ブラウザ拡大率の決定、設定の第１の例である。
【図７】ブラウザ拡大率の決定、設定の第２の例である。
【図８】ブラウザ拡大率の決定、設定の第３の例である。
【図９】ブラウザ拡大率の決定、設定の第４の例である。
【図１０】ブラウザ拡大率の決定、設定の第５の例である。
【発明を実施するための形態】
【００１０】
〔実施形態〕
以下、本発明の実施の形態について、詳細に説明する。
【００１１】
（机）
図１は、本実施形態に係る表示制御装置を備えた机１００の外観図である。図１に示すように、机１００は、高解像度ディスプレイ２０を備えている。本実施形態において、机１００は、図書館等に設置される。机１００は、デジタルコンテンツの閲覧、インターネット検索、地域情報の閲覧、その他図書館が発信したい情報の閲覧に用いることができる。デジタルコンテンツの閲覧は、電子版の新聞の閲覧、過去の新聞データの閲覧、オンラインデータベースによる調べ学習、歴史資料などのデジタルアーカイブの閲覧、電子書籍の閲覧等を含む。
【００１２】
図２は、本実施形態に係る表示装置１の構成を示す機能ブロック図である。図２に示すように、表示装置１は、表示制御装置であるパーソナルコンピュータ（ＰＣ）１０、高解像度ディスプレイ２０、および操作部３０を備えている。
【００１３】
（ＰＣ）
ＰＣ１０は、制御部１２、および記憶部１４を備えている。ＰＣ１０は、高解像度ディスプレイ２０に、リンク先情報が示すコンテンツを表示させる。
【００１４】
（高解像度ディスプレイ）
高解像度ディスプレイ２０は、大型であることが好ましい。本実施形態において、高解像度ディスプレイ２０は、４０型の４Ｋディスプレイである。
【００１５】
（操作部）
操作部３０は、ユーザがＰＣ１０に指示を出すために操作される機構である。例えば、操作部３０は、キーボード、マウスを含む。また、高解像度ディスプレイ２０は、ディスプレイとタッチセンサを組み合わせたタッチパネルであってもよい。この場合、高解像度ディスプレイ２０が操作部を含むことになる。
【００１６】
（記憶部）
記憶部１４は、ホームアプリ１４１、設定情報１４２、表示情報１４３、および様式情報１４４を格納している。
【００１７】
図３に、高解像度ディスプレイ２０に表示されるホーム画面の例を示す。ホーム画面とは、ホームアプリにより表示される画面であり、ＰＣ１０が起動された場合に高解像度ディスプレイ２０に表示される画面である。ホーム画面は、後述するトップ画面、リンク先選択画面を含む。
【００１８】
（ホームアプリ）
ホームアプリ１４１は、高解像度ディスプレイ２０の画面表示の制御を実行するためのアプリケーションプログラムである。具体的に、図４に示すように、ホームアプリ１４１は、トップ画面の表示／終了、リンク先選択画面の起動／終了、ブラウザの起動／終了、コンテンツの表示／終了、ＰＣ１０の終了処理等を実行するためのアプリケーションプログラムである。
【００１９】
図３の（ａ）は、ホームアプリが起動された際にまず表示されるトップ画面２０ａを示す。トップ画面２０ａは、ＧＵＩ（Graphical User Interface）として、トップ画面のタイトル２０ａ１、日時・時刻２０ａ２、画像２０ａ３、背景２０ａ４、複数のリンクボタン２０ａ５、機能ボタン２０ａ６、および再起動ボタン２０ａ７を含む。複数のリンクボタン２０ａ５は、本実施形態において、最大６個のリンクボタン２０ａ５ａ、２０ａ５ｂ、２０ａ５ｃ、２０ａ５ｄ、２０ａ５ｅ、２０ａ５ｆを含むことができる。再起動ボタン２０ａ７が選択された場合と、画面はＰＣ１０が起動された際の画面に戻る。
【００２０】
図３の（ｂ）は、図３の（ａ）に示されるリンクボタン２０ａ５ａが選択された場合のリンク先選択画面２０ｂを示す。リンク先選択画面２０ｂは、ＧＵＩとして、リンク先選択画面のタイトル２０ｂ１、複数のリンクボタン２０ｂ５、サブリンクボタン２０ｂ８、および下部ボタン２０ｂ９等を含む。複数のリンクボタン２０ｂ５は、本実施形態において、最大６個のリンクボタン２０ｂ５ａ、２０ｂ５ｂ、２０ｂ５ｃ、２０ｂ５ｄ、２０ｂ５ｅ、２０ｂ５ｆを含むことができる。サブリンクボタン２０ｂ８は、トップ画面２０ａにおいて選択されなかったリンクボタン２０ａ５ｂ、２０ａ５ｃ、２０ａ５ｄ、２０ａ５ｅ、２０ａ５ｆと同様に機能する。下部ボタン２０ｂ９は、６個のリンクボタン２０ｂ５ａ、２０ｂ５ｂ、２０ｂ５ｃ、２０ｂ５ｄ、２０ｂ５ｅ、２０ｂ５ｆと同様に機能する。
【００２１】
図３の（ｃ）は、図３の（ｂ）に示されるリンクボタン２０ｂ５ａが選択された場合のコンテンツ表示画面２０ｃを示す。コンテンツ表示画面２０ｃは、リンクボタン２０ｂ５ａに対応するリンク先情報が示すコンテンツ２０ｃ５を含む。コンテンツ表示画面２０ｃは、リンク先選択画面２０ｂにコンテンツ２０ｃ５が重なった画面である。図３の（ｃ）に示す例において、コンテンツ２０ｃ５が表示されるウィンドウは、高解像度ディスプレイ２０の全画面の一部領域を占める子画面である。
【００２２】
リンクボタン２０ｂ５の各々には、対応するコンテンツを示すリンク先情報、ブラウザの表示拡大率であるブラウザ拡大率、ウィンドウサイズ、ウィンドウ位置が対応付けられている。コンテンツは、全画面表示されたウィンドウに表示される場合もある。コンテンツを示すリンク先情報には、全画面表示および子画面表示の何れかの表示態様も関連付けられている。
【００２３】
以下、上述したリンクボタン２０ａ５，２０ｂ５、サブリンクボタン２０ｂ８、下部ボタン２０ｂ９を総称して、ボタンともよぶ。
【００２４】
（制御部）
制御部１２は、高解像度ディスプレイ２０に、リンク先情報が示すコンテンツを、当該リンク先情報に関連付けられた表示拡大率、および当該リンク先情報に関連付けられた、全画面表示及び子画面表示の何れかの表示態様にて表示させる。制御部１２は、操作情報取得部１２１、記憶情報取得部１２２、および表示制御部１２３として機能し、ホームアプリの実行部として機能する。
【００２５】
操作情報取得部１２１が、ユーザが操作部３０を介して出した指示を示す情報を取得すると、記憶情報取得部１２２は、記憶部１４からホームアプリ１４１、設定情報１４２、表示情報１４３、および様式情報１４４を読み出し、表示制御部１２３は、高解像度ディスプレイ２０の表示動作を制御する。ユーザが操作部３０を介して出す指示は、ＰＣ１０の起動、リンクボタン等のボタンの選択を含む。ＰＣ１０は、起動すると、ホームアプリ１４１を起動する。
【００２６】
設定情報１４２、および表示情報１４３は、リンク先情報が示すコンテンツに対応したボタン毎の個別の情報を含む。図４に示すテーブル１４０のように、ボタン毎に、設定情報１４２と、表示情報１４３とは、対応付けられて記憶部１４に格納される。
【００２７】
（設定情報）
図４を参照して、設定情報１４２の具体例を説明する。設定情報１４２として、まず、デフォルト値が設定される。本実施形態では、テーブル１４０に記載の通り、ブラウザの拡大率のデフォルト値を２５０％に設定する。また、全画面表示の幅を１．０として、子画面表示の幅のデフォルト値を０．８９に設定する。また、全画面表示の高さを１．０として、子画面表示の高さのデフォルト値を０．８に設定する。また、全画面表示の上下の距離を１．０として、子画面の上位置のデフォルト値を上から０．０７に設定する。また、全画面表示の左右の距離を１．０として、子画面の左位置のデフォルト値を左から０．０１に設定する。
【００２８】
図４に示すテーブル１４０、および設定情報１４２に記載の通り、設定情報１は、幅、高さ、上位置、左位置がデフォルト値の子画面表示のウィンドウを起動し、リンク先情報が示すコンテンツをデフォルト値のブラウザ拡大率で表示するコマンド「launchIE」を含む。また、設定情報２は、幅、高さ、上位置、左位置がデフォルト値の子画面表示のウィンドウを起動し、リンク先情報が示すコンテンツを指定したブラウザ拡大率で表示するコマンド「launchIEZoom」を含む。また、設定情報３は、全画面表示のウィンドウを起動し、リンク先情報が示すコンテンツをデフォルト値のブラウザ拡大率で表示するコマンド「launchIEFull」を含む。また、設定情報４は、全画面表示のウィンドウを起動し、リンク先情報が示すコンテンツを指定したブラウザ拡大率で表示するコマンド「launchIEFullZoom」を含む。また、設定情報５は、全画面表示のウィンドウを起動し、記憶部１４に格納されているコンテンツをデフォルト値のブラウザ拡大率で表示するコマンド「launchIELocalPath」を含む。本実施形態において高解像度ディスプレイ２０は４０型であるので、Ｗｅｂページ等は子画面表示させる方が好ましい場合が多い。一方、絵画等は全画面表示させる方が好ましい場合が多い。さらに、設定情報として、ブラウザの終了、ホーム画面の初期化、動画の再生、機能ボタンが選択された場合の処理等の処理を実行するための情報が準備される。
【００２９】
なお、本実施形態においては、各々のコマンドはＪａｖａＳｃｒｉｐｔ（登録商標）およびＣ＃で記述しているが、同様に機能すれば、ＪａｖａＳｃｒｉｐｔおよびＣ＃以外で記述されていてもよい。
【００３０】
（表示情報）
図４に示すように、表示情報１４３として、ホーム画面（トップ画面、リンク先選択画面Ａ、リンク先選択画面Ｂ、…リンク先選択画面Ｆ）毎に、画面のコードが記憶部１４に格納される。画面のコードには、画面に含まれるボタンに対応する設定情報（具体的には上述したコマンド）、およびリンク先のＵＲＬ等のリンク先情報、およびブラウザ拡大率が設定される。
【００３１】
また、図４に示すように、様式情報１４４は、フォントサイズを指定する情報、ボタンの表示エリアを指定する情報等を含む。
【００３２】
制御部１２は、設定情報１４２、表示情報１４３、および様式情報１４４に応じてホームアプリ１４１を実行する。
【００３３】
図５を参照して、ホーム画面の画面遷移と表示情報との関係を説明する。図３の（ａ）に示すトップ画面２０ａにおいてリンクボタン２０ａ５ｃが選択されると、図５の（ａ）に示すリンク先選択画面が表示される。図５の（ａ）に示すように、リンクボタン２０ａ５ｃと対応するリンク先選択画面は、４つのリンクボタンを含む。また、リンクボタンに対応して下部ボタンも４つ含む。
【００３４】
図５の（ｂ−１）は、図５の（ａ）に示すリンク先選択画面に含まれるリンクボタン２０ｂ５ｃａが選択された場合に遷移するコンテンツ表示画面を示す。また、図５の（ｂ−２）は、図５の（ａ）に示すリンク先選択画面に含まれるリンクボタン２０ｂ５ｃｂが選択された場合に遷移するコンテンツ表示画面を示す。また、図５の（ｂ−３）は、図５の（ａ）に示すリンク先選択画面に含まれるリンクボタン２０ｂ５ｃｃが選択された場合に遷移するコンテンツ表示画面を示す。また、図５の（ｂ−４）は、図５の（ａ）に示すリンク先選択画面に含まれるリンクボタン２０ｂ５ｃｄが選択された場合に遷移するコンテンツ表示画面を示す。
【００３５】
また、図５の（ｃ）は、図５の（ａ）に示すリンク先選択画面のコードを示す。図５の（ｃ）に示すように、本実施形態において、ホーム画面のコードは、ＨＴＭＬで記述される。なお、同様に機能すれば、ＨＴＭＬ以外で記述されていてもよい。
【００３６】
図５の（ｃ）に示されるコードの２行目は、図５の（ａ）に示すリンク先選択画面に含まれるリンクボタン２０ｂ５ｃａに対応する。図５の（ｃ）に示されるコードの２行目は、コマンド「launchIE」、およびＳ新聞のリンク先のＵＲＬを指定している。したがって、リンクボタン２０ｂ５ｃａが選択されると、表示制御部１２３は、高解像度ディスプレイ２０に、図５の（ｂ−１）に示すように、幅、高さ、上位置、左位置がデフォルト値の子画面表示のウィンドウに、Ｓ新聞のＷｅｂページを２５０％のブラウザ拡大率で表示させる。
【００３７】
また、図５の（ｃ）に示されるコードの３行目は、図５の（ａ）に示すリンク先選択画面に含まれるリンクボタン２０ｂ５ｃｂに対応する。図５の（ｃ）に示されるコードの３行目は、コマンド「openDVD」を指定している。したがって、リンクボタン２０ｂ５ｃｂが選択されると、表示制御部１２３は、高解像度ディスプレイ２０に、図５の（ｂ−２）に示すように、全画面表示のウィンドウに、Ｓ新聞の縮小版のＤＶＤを再生させる。
【００３８】
また、図５の（ｃ）に示されるコードの４行目は、図５の（ａ）に示すリンク先選択画面に含まれるリンクボタン２０ｂ５ｃｃに対応する。図５の（ｃ）に示されるコードの４行目は、コマンド「launchIE」、およびＮテレコンのリンク先のＵＲＬを指定している。したがって、リンクボタン２０ｂ５ｃｃが選択されると、表示制御部１２３は、高解像度ディスプレイ２０に、図５の（ｂ−３）に示すように、幅、高さ、上位置、左位置がデフォルト値の子画面表示のウィンドウに、ＮテレコンのＷｅｂページを２５０％のブラウザ拡大率で表示させる。
【００３９】
また、図５の（ｃ）に示されるコードの５行目は、図５の（ａ）に示すリンク先選択画面に含まれるリンクボタン２０ｂ５ｃｄに対応する。図５の（ｃ）に示されるコードの５行目は、コマンド「launchIEZoom」、Ｇマップのリンク先のＵＲＬ、およびブラウザ拡大率「150」を指定している。したがって、リンクボタン２０ｂ５ｃｄが選択されると、表示制御部１２３は、高解像度ディスプレイ２０に、図５の（ｂ−４）に示すように、幅、高さ、上位置、左位置がデフォルト値の子画面表示のウィンドウに、ＧマップのＷｅｂページを１５０％のブラウザ拡大率で表示させる。
【００４０】
次に、図６〜図１０を参照して、ホームアプリが提供する各々のコンテンツのブラウザ拡大率の設定例を説明する。コンテンツのブラウザ拡大率は、閲覧者が、表示されているコンテンツを官能的に評価することにより決定される。同じ高解像度ディスプレイに、同じコンテンツを、異なるブラウザ拡大率で表示し、閲覧者は、ディスプレイ内に表示される事項を官能的に評価する。官能的に評価する事項として、文字が鮮明か、文字が適切な大きさか、画像が精細か、画像がぼやけていないか、ウィンドウ内の左右の余白のバランスや見せたい領域のサイズ等からＷｅｂページ閲覧性が良いか、閲覧者の視線移動量や視線とマウスに移動量等からユーザー・フレンドリーか否か等を挙げることができる。この官能的な評価は、同じコンテンツであっても、高解像度ディスプレイのディスプレイサイズ、解像度等によって異なる。このため、ブラウザ拡大率は、高解像度ディスプレイ毎に決定し、設定する。また、電子版の本等のデジタルコンテンツである場合、紙の出版物と同じサイズ以上で表示されているか否かも、ブラウザ拡大率を評価する事項として挙げることができる。
【００４１】
図６は、地図の表示例を示す。ウィンドウ内には、地図と共に地図に含まれる位置の情報が表示されている。図６の（ａ）はブラウザ拡大率が１５０％の場合の表示例であり、図６の（ｂ）はブラウザ拡大率が２５０％の場合の表示例である。図６の（ａ）と（ｂ）とを比較すると、図６の（ｂ）に示すウィンドウ内は、地図に含まれる位置の情報を表示する領域が広く、地図を表示する領域が狭い。また、本実施形態において、高解像度ディスプレイ２０は、４０型のディスプレイであるので、地図に含まれる位置の情報は、図６の（ａ）に示される程の大きさで十分である。このため、地図を表示する場合のブラウザ拡大率は、１５０％に設定される。
【００４２】
図７は、検索サービスのＷｅｂページの表示例を示す。図７の（ａ）はブラウザ拡大率が２５０％の場合の表示例であり、図７の（ｂ）はブラウザ拡大率が１２５％の場合の表示例である。図７の（ａ）と（ｂ）とを比較すると、図７の（ｂ）に示すウィンドウ内には、ブラウザの左右に大きな余白領域がある。また、図７の（ｂ）に示す文字は、サイズが小さく見辛い。また、図７の（ａ）に示す文字は、大きいために粗くなってもいない。このため、検索サービスのＷｅｂページを表示する場合のブラウザ拡大率は、２５０％に設定される。
【００４３】
図８は、紙の出版物を閲覧させるＷｅｂページの表示例を示す。図８の（ａ）はブラウザ拡大率が２５０％の場合の表示例であり、図８の（ｂ）はブラウザ拡大率が１２５％の場合の表示例である。図８の（ａ）に示すように、ブラウザ拡大率を２５０％に設定して表示すると、高解像度ディスプレイ２０において、紙の出版物と同じサイズで表示されるので閲覧性が良い。一方、図８の（ｂ）に示すように、ブラウザ拡大率を１２５％に設定して表示すると、高解像度ディスプレイ２０において、紙の出版物よりも小さいサイズ表示されるので、閲覧性が悪い。このため、紙の出版物を閲覧させるＷｅｂページを表示する場合のブラウザ拡大率は、２５０％に設定される。
【００４４】
図９は、紙の図鑑と同じように閲覧できるように、見開きの２ページをデジタル化した画像を表示する例を示す。図９の（ａ）はブラウザ拡大率が１２５％の場合の表示例であり、図９の（ｂ）はブラウザ拡大率が２５０％の場合の表示例である。図９の（ａ）と（ｂ）とを比較すると、図鑑の表示サイズは、図９の（ａ）と（ｂ）とで同じである。一方で、表示されている文字を比較すると、図９の（ａ）の方が図９の（ｂ）より鮮明で、ぼやけていなく、読みやすい。このため、紙の図鑑と同じように閲覧できるように、見開きの２ページをデジタル化した画像を表示する場合のブラウザ拡大率は、１２５％に設定される。
【００４５】
図１０は、絵画を表示する例を示す。図１０の（ａ）はブラウザ拡大率が１２５％の場合の表示例であり、図１０の（ｂ）はブラウザ拡大率が２５０％の場合の表示例である。図１０の（ａ）と（ｂ）とを比較すると、図１０の（ａ）に示す画像の方が高精細である。また、図１０の（ｂ）に示すように、ブラウザ拡大率を２５０％に設定すると、絵画の右上の文字が不要に大きくなる。このため、絵画を表示する場合のブラウザ拡大率は、１２５％に設定される。
【００４６】
同様に、コンテンツを表示するウィンドウを全画面表示するか、または子画面表示するかも、閲覧者が、表示されているコンテンツを官能的に評価することにより決定され、設定される。また、コンテンツを表示するウィンドウを全画面表示するか、または子画面表示するかも、高解像度ディスプレイ毎に決定され、設定される。
【００４７】
また、子画面表示する場合は、子画面の幅、高さ、上位置、左位置も、閲覧者が、表示されているコンテンツを官能的に評価することにより決定され、設定される。また、子画面の幅、高さ、上位置、左位置も、高解像度ディスプレイ毎に決定され、設定される。
【００４８】
ブラウザ拡大率等の設定は、机１の利用前、例えば机１の出荷前に、製造者によってされている。また、机１の利用開始後に、新たなコンテンツを追加する場合は、机１の管理者が、記憶部１４に表示情報１４３として格納されている画面のコードを更新することもできる。
【００４９】
なお、本実施形態では、ＰＣ１０がホーム画面を表示させる場合のみを説明するが、ホーム画面以外の画面も表示することができ、机１のユーザは、例えば、リンクボタンが用意されていないＷｅｂページを閲覧することもできる。
【００５０】
また、本実施形態では、机を図書館に設置したが、机は、美術館、博物館などの施設、店舗、分校等の学校等に設置してもよい。
【００５１】
〔ソフトウェアによる実現例〕
表示制御装置としてのＰＣ１０の制御ブロック（特に制御部１２）は、集積回路（ＩＣチップ）等に形成された論理回路（ハードウェア）によって実現してもよいし、ソフトウェアによって実現してもよい。
【００５２】
後者の場合、ＰＣ１０は、各機能を実現するソフトウェアであるプログラムの命令を実行するコンピュータを備えている。このコンピュータは、例えば１つ以上のプロセッサを備えていると共に、上記プログラムを記憶したコンピュータ読み取り可能な記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００５３】
〔まとめ〕
本発明の態様１に係る表示制御装置（ＰＣ１０）は、高解像度ディスプレイ２０に、リンク先情報が示すコンテンツを表示させる表示制御装置（ＰＣ１０）であって、制御部１２を備え、上記制御部１２は、リンク先情報が示すコンテンツを、当該リンク先情報に関連付けられた表示拡大率、及び当該リンク先情報に関連付けられた、全画面表示及び子画面表示の何れかの表示態様にて表示させる。
【００５４】
上記の構成によれば、リンク先に応じた表示拡大率、およびリンク先に応じた表示形態の表示をすることができる。
【００５５】
本発明の態様２に係る表示制御装置（ＰＣ１０）は、上記態様１において、上記表示拡大率は、上記高解像度ディスプレイ２０に表示された上記リンク先情報が示すコンテンツを官能的に評価することにより決定されたものであってよい。
【００５６】
上記の構成によれば、人間にとって閲覧性のよい表示を閲覧することができる。
【００５７】
本発明の態様３に係る表示制御装置（ＰＣ１０）は、上記態様１または２において、上記制御部１２は、上記リンク先情報が示すコンテンツを示すボタンを表示させ、上記ボタンが選択された場合、上記リンク先情報が示すコンテンツを、上記表示拡大率、及び上記表示態様にて表示させてもよい。
【００５８】
上記の構成によれば、ボタンを選択するだけで、所望のコンテンツが最適表示される。
【００５９】
本発明の態様４に係る表示制御装置（ＰＣ１０）は、上記態様３において、上記制御部１２は、当該表示制御装置（ＰＣ１０）が表示するホーム画面に上記ボタンを含ませてもよい。
【００６０】
上記の構成によれば、表示制御装置（ＰＣ１０）を起動すれば、コンテンツを表示させるためのボタンが提供される。
【００６１】
本発明の態様５に係る表示装置１は、高解像度ディスプレイ２０と、態様１〜４の表示制御装置（ＰＣ１０）とを備えている。
【００６２】
上記の構成によれば、態様１と同様の効果を奏する。
【００６３】
本発明の態様６に係る机１００は、態様５の表示装置１を備えている。
【００６４】
上記の構成によれば、態様１と同様の効果を奏する。
【００６５】
本発明の各態様に係る表示制御装置（ＰＣ１０）は、コンピュータによって実現してもよく、この場合には、コンピュータを上記表示制御装置（ＰＣ１０）が備える各部（ソフトウェア要素）として動作させることにより上記表示制御装置（ＰＣ１０）をコンピュータにて実現させる表示制御装置（ＰＣ１０）の表示制御プログラム、およびそれを記録したコンピュータ読み取り可能な記録媒体も、本発明の範疇に入る。
【００６６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００６７】
１  表示装置
１０  ＰＣ（表示制御装置）
１２  制御部
２０  高解像度ディスプレイ
１００  机
【図１】
2019012139.tif 000003
【図２】
2019012139.tif 000004
【図３】
2019012139.tif 000005
【図４】
2019012139.tif 000006
【図５】
2019012139.tif 000007
【図６】
2019012139.tif 000008
【図７】
2019012139.tif 000009
【図８】
2019012139.tif 000010
【図９】
2019012139.tif 000011
【図１０】
2019012139.tif 000012
【手続補正書】
【提出日】平成30年6月26日(2018.6.26)
【手続補正１】
【補正対象書類名】特許請求の範囲
【補正対象項目名】全文
【補正方法】変更
【補正の内容】
【特許請求の範囲】
【請求項１】
ディスプレイに、リンク先情報が示すコンテンツを表示させる表示制御装置であって、制御部を備え、
上記制御部は、
リンク先情報が示すコンテンツを、
当該リンク先情報に関連付けられた表示倍率、及び
当該リンク先情報に関連付けられた、全画面表示及び子画面表示の何れかの表示態様にて表示させる
ことを特徴とする表示制御装置。
【請求項２】
上記表示倍率は、上記ディスプレイに表示された上記リンク先情報が示すコンテンツを官能的に評価することにより決定されたものである
ことを特徴とする請求項１に記載の表示制御装置。
【請求項３】
上記制御部は、
上記リンク先情報が示すコンテンツを示すボタンを表示させ、
上記ボタンが選択された場合、上記リンク先情報が示すコンテンツを、上記表示倍率、及び上記表示態様にて表示させる
ことを特徴とする請求項１または２に記載の表示制御装置。
【請求項４】
上記制御部は、
当該表示制御装置が表示するホーム画面に上記ボタンを含ませる
ことを特徴とする請求項３に記載の表示制御装置。
【請求項５】
ディスプレイと、
請求項１〜４の何れか１項に記載の表示制御装置と
を備えていることを特徴とする表示装置。
【請求項６】
請求項５に記載の表示装置
を備えることを特徴とする机。
【請求項７】
請求項１に記載の表示制御装置としてコンピュータを機能させるための表示制御プログラムであって、上記制御部としてコンピュータを機能させるための表示制御プログラム。
【請求項８】
請求項７に記載の表示制御プログラムを記録したコンピュータ読み取り可能な記録媒体。
【手続補正書】
【提出日】平成30年11月9日(2018.11.9)
【手続補正１】
【補正対象書類名】特許請求の範囲
【補正対象項目名】全文
【補正方法】変更
【補正の内容】
【特許請求の範囲】
【請求項１】
ディスプレイに、リンク先情報が示すコンテンツを表示させる表示制御装置であって、制御部を備え、
上記制御部は、
リンク先情報が示すコンテンツを、
当該リンク先情報に関連付けられた表示倍率、及び
当該リンク先情報に関連付けられた、全画面表示及び子画面表示の何れかの表示態様にて表示させ、
上記表示倍率は、上記ディスプレイのサイズまたは解像度に応じた値である
ことを特徴とする表示制御装置。
【請求項２】
上記表示倍率は、上記ディスプレイに表示された上記リンク先情報が示すコンテンツを官能的に評価することにより決定されたものである
ことを特徴とする請求項１に記載の表示制御装置。
【請求項３】
上記制御部は、
上記リンク先情報が示すコンテンツを示すボタンを表示させ、
上記ボタンが選択された場合、上記リンク先情報が示すコンテンツを、上記表示倍率、及び上記表示態様にて表示させる
ことを特徴とする請求項１または２に記載の表示制御装置。
【請求項４】
上記制御部は、
当該表示制御装置が表示するホーム画面に上記ボタンを含ませる
ことを特徴とする請求項３に記載の表示制御装置。
【請求項５】
ディスプレイと、
請求項１〜４の何れか１項に記載の表示制御装置と
を備えていることを特徴とする表示装置。
【請求項６】
請求項５に記載の表示装置
を備えることを特徴とする机。
【請求項７】
請求項１に記載の表示制御装置としてコンピュータを機能させるための表示制御プログラムであって、上記制御部としてコンピュータを機能させるための表示制御プログラム。
【請求項８】
請求項７に記載の表示制御プログラムを記録したコンピュータ読み取り可能な記録媒体。